(57)【特許請求の範囲】
【請求項１】
製品フィルムスキャナを較正する方法であって、
中間フィルムストックにおいて、該中間フィルムストックのフルダイナミックレンジをカバーする複数の色パッチを含み、該複数の色パッチの夫々が異なるシェードのグレーである少なくとも１つの第１の較正フレームを提供するステップと、
ネガフィルムストックにおいて露光される複数の色パッチを夫々含む少なくとも１つの第２の較正フレームを提供するステップと、
参照フィルムスキャナにより前記少なくとも１つの第１の較正フレーム及び前記少なくとも１つの第２の較正フレームを走査するステップと、
前記参照フィルムスキャナを較正するために、前記参照フィルムスキャナにより走査された前記少なくとも１つの第１の較正フレームを解析するステップと、
前記参照フィルムスキャナにより走査された前記少なくとも１つの第２の較正フレームについて複数の色パッチの各色パッチごとに値の第１の組を決定するステップと
製品フィルムスキャナにより前記少なくとも１つの第１の較正フレーム及び前記少なくとも１つの第２の較正フレームを走査するステップと、
前記中間フィルムストックについて前記製品フィルムスキャナを較正するために、前記製品フィルムスキャナにより走査された前記少なくとも１つの第１の較正フレームを解析するステップと、
前記参照フィルムスキャナによる前記少なくとも１つの第２の較正フレームの走査から決定された前記値の第１の組と、前記製品フィルムスキャナにより走査された前記少なくとも１つの第２の較正フレームについて複数の色パッチの各色パッチごとに決定される値の第２の組とから、前記製品フィルムスキャナのための補償較正ルックアップテーブルを決定するステップと
を有する方法。
【請求項２】
前記複数の色パッチの各色パッチごとに値の第１の組を決定するステップは、当該複数の色パッチの各色パッチごとに標的照準値の第１の組を決定するステップを更に有する、請求項１に記載の方法。
【請求項３】
前記製品フィルムスキャナのための補償較正ルックアップテーブルを決定するステップは、
前記製品フィルムスキャナにより走査された前記少なくとも１つの第２の較正フレームを解析するステップと、
前記製品フィルムスキャナにより走査された前記少なくとも１つの第２の較正フレームについて複数の色パッチの各色パッチごとに値の第２の組を決定するステップと、
前記第１の組の値と前記第２の組の値との間で最小二乗適合を計算するステップと
を更に有する、請求項２に記載の方法。
【請求項４】
前記製品フィルムスキャナにより走査された前記少なくとも１つの第１の較正フレームを解析するステップは、前記製品フィルムスキャナによる前記少なくとも１つの第１の較正フレームの走査から前記製品フィルムスキャナのための第１の較正値を決定するステップを更に有し、
前記製品フィルムスキャナのための前記第１の較正値は、前記製品フィルムスキャナの非線形性を補償する、
請求項３に記載の方法。
【請求項５】
前記最小二乗適合を前記製品フィルムスキャナの前記第１の較正値と連結し、その結果を前記補償較正ルックアップテーブルとして記憶するステップを更に有する請求項４に記載の方法。
【請求項６】
前記製品フィルムスキャナによって走査される前記ネガフィルムストックにおける少なくとも１つの製品画像に前記補償較正ルックアップテーブルを適用するステップを更に有する請求項１に記載の方法。
【請求項７】
前記製品フィルムスキャナによって前記ネガフィルムストックにおける複数の製品画像を走査するステップと、
前記複数の製品画像の夫々へ前記補償較正ルックアップテーブルを適用するステップと、
較正された前記複数の製品画像を更なる処理のために記憶するステップと
を更に有する請求項１に記載の方法。
【請求項８】
製品フィルムスキャナを較正するシステムであって、
中間フィルムストックにおける少なくとも１つの第１の較正フレームであって、前記中間フィルムストックのフルダイナミックレンジをカバーする複数の色パッチを含み、該複数の色パッチの夫々が異なるシェードのグレーである前記少なくとも１つの第１の較正フレームと、
ネガフィルムストックにおいて露光される複数の色パッチを夫々含む少なくとも１つの第２の較正フレームと、
前記少なくとも１つの第１の較正フレーム及び前記少なくとも１つの第２の較正フレームを走査する参照フィルムスキャナと、
前記少なくとも１つの第１の較正フレーム及び前記少なくとも１つの第２の較正フレームを走査する製品フィルムスキャナと、
前記参照フィルムスキャナを較正するために前記参照フィルムスキャナにより走査された前記少なくとも１つの第１の較正フレームを解析し、前記参照フィルムスキャナにより走査された前記少なくとも１つの第２の較正フレームについて複数の色パッチの各色パッチごとに値の第１の組を決定するプロセッサと
を有し、
前記プロセッサは更に、前記中間フィルムストックについて前記製品フィルムスキャナを較正するために前記製品フィルムスキャナにより走査された前記少なくとも１つの第１の較正フレームを解析し、前記参照フィルムスキャナによる前記少なくとも１つの第２の較正フレームの走査から決定された前記値の第１の組と、前記製品フィルムスキャナにより走査された前記少なくとも１つの第２の較正フレームについて複数の色パッチの各色パッチごとに決定される値の第２の組とから、前記製品フィルムスキャナのための補償較正ルックアップテーブルを決定する、システム。
【請求項９】
前記プロセッサは、更に、前記値の第１の組を決定する場合に、前記複数の色パッチの各色パッチごとに標的照準値の第１の組を決定するよう構成される、
請求項８に記載のシステム。
【請求項１０】
前記プロセッサは、更に、前記製品フィルムスキャナにより走査された前記少なくとも１つの第２の較正フレームの走査を解析し、前記製品フィルムスキャナにより走査された前記少なくとも１つの第２の較正フレームについて複数の色パッチの各色パッチごとに値の第２の組を決定し、前記第１の組の値と前記第２の組の値との間で最小二乗適合を計算するよう構成される、
請求項９に記載のシステム。
【請求項１１】
前記プロセッサは、更に、前記製品フィルムスキャナによる前記少なくとも１つの第１の較正フレームの走査から前記製品フィルムスキャナのための第１の較正値を決定するよう構成され、
前記製品フィルムスキャナのための前記第１の較正値は、前記製品フィルムスキャナの非線形性を補償する、
請求項１０に記載のシステム。
【請求項１２】
前記プロセッサは、更に、前記最小二乗適合を前記製品フィルムスキャナの前記第１の較正値と連結し、その結果を前記補償較正ルックアップテーブルとして色空間コンバータに記憶するよう構成される、
請求項１１に記載のシステム。
【請求項１３】
前記製品フィルムスキャナによって走査される前記ネガフィルムストックにおける少なくとも１つの製品画像に前記補償較正ルックアップテーブルを適用する色空間コンバータを更に有する請求項８に記載のシステム。
【請求項１４】
前記製品フィルムスキャナは、前記ネガフィルムストックにおける複数の製品画像を走査し、
色空間コンバータは、前記複数の製品画像の夫々へ前記補償較正ルックアップテーブルを適用し、
前記プロセッサは、較正された前記複数の製品画像を局所画像生成パイプラインに供給する、
請求項８に記載のシステム。
【発明の詳細な説明】
【技術分野】
【０００１】
本開示は、概して、フィルム生成工程処理及び表示システムに係り、より具体的には、フィルムスキャナのプロファイリング及び較正のためのシステム及び方法に係る。
【背景技術】
【０００２】
最初に、映画産業において、原の動画ネガフィルムは、カメラ露光動作の間に露光され、加工カメラネガへと変わり、その後に、イメージ製品を生成するよう、複数の方法のうちの１つにおいて、処理された。そのような先行技術のアナログシステムにおいては、デイリーズ（dailies）又はラッシュは、動画がショットであるように、通常は生成された。これらのフィルムは処理されて、場面ショットが受け入れられるかどうかを決定するよう、製作に携わる監督、製作者、フィルム編集者等によって見られた。製作チームの各人は、チーム内での夫々の役割に関連して異なった要素についてフィルムを評価した。撮影カメラマン及び監督は、最終リリースがどのように見えるかを正確にプレビューするフォーマットにおいて、前日の作業の結果を見ることができた。
【０００３】
一般的に、デイリーズを作る際に、未加工の、編集されていない撮影場面（footage）が作成され、音響と同期化され、バッチ処理でフィルムに印刷される。代替的に、未加工の撮影場面は、走査され、又はビデオテープ若しくはディスク上に記録される。映画製作工程において、幾つかのフィルムスキャナ及び／又はテレシネ（telecine）が様々な場所で使用されてよい。例えば、デイリーズは、最終のデジタル中間物のための最終の高解像度走査が製作スタジオにおいてスキャナで行われるようとなかろうと、遠隔フィルムロケーションにおいて１つの特定のモデルのテレシネで記録されてよい。
【０００４】
従来、中間フィルムストックで生成される目標フレームは、様々なモデル及び製造者のスキャナを較正するために使用される。あいにく、中間ストックのスペクトル応答は、カメラオリジナルのフィルムストックとは異なる。たとえ異なるブランドのスキャナが、標準の中間フィルムストックと完全に同じように応答するよう較正され得るとしても、スキャナは、依然として、異なるスペクトル・ダイ特性を有するカメラオリジナルのフィルムストックとは違った反応をする。最終の色補正のためのデイリーズ及びフィルムスキャン用のテレシネ画像の間の相違は、最終の色補正の間にカラリストによって何らかの処置を施されるべきである。
【発明の概要】
【発明が解決しようとする課題】
【０００５】
従って、テレシネデイリーズ及びフィルムスキャンが整合するようにフィルムスキャナをプロファイリング及び較正し、これ以上の前置処理を必要としない技術が必要とされる。
【課題を解決するための手段】
【０００６】
本開示は、様々なモデル及び製造者のフィルムスキャナ及びテレシネを所定のプロファイルへと較正するシステム及び方法を提供する。較正システム及び方法は、カスタマイズされている較正用フィルムストリップと、デジタル画像ファイルを生成することができるスキャナとを必要とする。１つのフィルムスキャナは目標基準デバイスであるよう選択され、方法は、製品フィルムスキャナ及びテレシネを較正して、目標基準スキャナからの画像と整合する画像を発生させるよう提供される。較正方法は、２つの画像又はフレームが捕捉されることを要する。第１のフレームは、中間フィルムストック（例えば、コダックの５２４２フィルム）における多数のグレーパッチから成り、第２のフレームは、目標ネガフィルムストック（例えば、コダックの５２１９フィルム）において露光される色チャート（例えば、Ｍａｃｂｅｔｃｈ）を含む。較正方法は、較正色ルックアップテーブル（ＬＵＴ）を計算するために、グレーパッチのための目標プロファイルと、２つの走査フレームとを用いる。次いで、このＬＵＴは、全ての走査画像を後処理するために使用される。目標ネガフィルムストックを較正プロセスの一部として用いることによって、全てが異なるスペクトル感度曲線を有する異なるフィルムスキャナのスペクトル感度によるメタメリズムは、解消される。
【０００７】
本開示の一態様に従って、製品フィルムスキャナを較正する方法が提供され、当該方法は、中間フィルムストックにおいて少なくとも１つの第１の較正フレームを提供するステップと、ネガフィルムストックにおいて少なくとも１つの第２の較正フレームを提供するステップと、参照フィルムスキャナにより前記少なくとも１つの第１の較正フレーム及び前記少なくとも１つの第２の較正フレームを走査するステップと、製品フィルムスキャナにより前記少なくとも１つの第１の較正フレーム及び前記少なくとも１つの第２の較正フレームを走査するステップと、前記参照フィルムスキャナによる走査に係る第１の結果と、前記製品フィルムスキャナによる走査に係る第２の結果とから、補償較正係数を決定するステップとを有する。
【０００８】
他の態様において、前記補償較正係数は、較正色ルックアップテーブル（ＬＵＴ）である。
【０００９】
更なる他の態様において、前記補償較正係数は、前記製品フィルムスキャナによって走査される前記ネガフィルムストックにおける少なくとも１つの製品画像に適用される。
【００１０】
更なる態様において、前記少なくとも１つの第１の較正フレームは、前記中間フィルムストックのフルダイナミックレンジをカバーする複数の色パッチを含み、前記少なくとも１つの第２の較正フレームは、複数の色パッチを有する色チャートを含む。
【００１１】
本開示の他の態様において、当該方法は、前記参照フィルムスキャナによる前記少なくとも１つの第２の較正フレームの走査に係る前記第１の結果を解析するステップと、前記複数の色パッチの夫々について標的照準値の第１の組を決定するステップと、前記製品フィルムスキャナによる前記少なくとも１つの第２の較正フレームの走査に係る前記第２の結果を解析するステップと、前記複数の色パッチの夫々について値の第２の組を決定するステップと、前記第１の組の値と前記第２の組の値との間で最小二乗適合を計算するステップとを更に有する。当該方法は、前記最小二乗適合を前記製品フィルムスキャナの前記第１の較正値と連結し、その結果を前記補償較正係数として記憶するステップを更に有する。
【００１２】
本開示の他の態様に従って、製品フィルムスキャナを較正するシステムが提供される。当該システムは、中間フィルムストックにおける少なくとも１つの第１の較正フレームと、ネガフィルムストックにおける少なくとも１つの第２の較正フレームと、前記少なくとも１つの第１の較正フレーム及び前記少なくとも１つの第２の較正フレームを走査する参照フィルムスキャナと、前記少なくとも１つの第１の較正フレーム及び前記少なくとも１つの第２の較正フレームを走査する製品フィルムスキャナと、前記参照フィルムスキャナによる走査に係る第１の結果と、前記製品フィルムスキャナによる走査に係る第２の結果とから、補償較正係数を決定するプロセッサとを有する。
【００１３】
更なる態様において、当該システムは、前記製品フィルムスキャナによって走査される前記ネガフィルムストックにおける少なくとも１つの製品画像に前記補償較正係数を適用する色空間コンバータを更に有し、前記補償較正係数は較正色ルックアップテーブルである。
【図面の簡単な説明】
【００１４】
【図１】本開示の態様に従って製品フィルムスキャナを較正するワークフロー図を示す。
【図２】本開示の態様に従って製品フィルムスキャナを較正するシステムの例示である。
【図３】中間フィルムストックにおける２１のグレーパッチを含む第１の較正フレームを表す。
【図４】ネガフィルムストックにおける複数の色パッチを含む第２の較正フレームを表す。
【図５】本開示の態様に従って製品フィルムスキャナを較正する方法の例に係るフロー図である。
【発明を実施するための形態】
【００１５】
本開示の上記の及び他の態様、特徴及び利点は、添付の図面に関連して読まれるべき好ましい実施形態に係る以下の詳細な記載において記載され、又は該詳細な記載から明らかになるであろう。図面において、同じ参照符号は、全図を通して同じ又は対応する要素を表す。
【００１６】
当然のことながら、図面は、本開示の概念を説明することを目的とし、必ずしも、本開示を説明するための唯一の可能な構成ではない。
【００１７】
図示される要素は、ハードウェア、ソフトウェア又はそれらの組み合わせの様々な形で実施されてよいことが理解されるべきである。望ましくは、かかる要素は、１又はそれ以上の適切にプログラムされた汎用のデバイスでハードウェア及びソフトウェアの組み合わせにおいて実施される。汎用のデバイスには、プロセッサ、メモリ及び入出力インターフェースがある。
【００１８】
本明細書は、本開示の原理を説明する。従って、当然のことながら、当業者は、ここで明示的に記載又は図示されていないとしても、本開示の原理を具現し且つその精神及び適用範囲内に含まれる様々な配置を考え出すこと出来るであろう。
【００１９】
ここで挙げられている全ての例及び条件付き用語は、読む者が当該技術の促進に発明者によって寄与される概念及び本開示の原理を理解するのを助けるという教育的な目的を対象とし、そのような具体的に挙げられている例及び条件に制限することがないと解されるべきである。
【００２０】
更に、本開示の原理、態様及び実施形態並びにそれらの具体例で挙げている本明細書中の全ての記述は、それらと構造上及び機能上等価なものを包含するよう意図される。更に、かかる等価なものは、現在知られているもの又は将来開発されるものの両方、すなわち、構造に関わらず同じ機能を実行する開発されたあらゆる要素を含むことが意図される。
【００２１】
このように、例えば、当業者には当然のことながら、ここで提示されるブロック図は、本開示の原理を具現する具体的な回路の概念図を表す。同様に、当然のことながら、如何なるフロー図、フローチャート、状態遷移図、擬似コード等も、実質的にコンピュータ可読媒体において表されて、コンピュータ又はプロセッサによって、そのようなコンピュータ又はプロセッサが明示的に示されているかどうかによらず、そのように実行される様々な処理を表す。
【００２２】
図に示される様々な要素の機能は、専用のハードウェア、及び適切なソフトウェアと関連してソフトウェアを実行可能なハードウェアの使用を通じて提供されてよい。プロセッサによって提供される場合、機能は単一の専用プロセッサによって、単一の共有プロセッサによって、又は複数の個別プロセッサ（それらの一部は共有されてよい。）によって、提供されてよい。更に、語「プロセッサ」又は「コントローラ」の明示的使用は、もっぱらソフトウェアを実行可能なハードウェアに言及していると解されるべきではなく、暗に、制限なしに、デジタル信号プロセッサ（ＤＳＰ）ハードウェア、ソフトウェアを記憶する読出専用メモリ（ＲＯＭ）、ランダムアクセスメモリ（ＲＡＭ）、及び不揮発性記憶装置を含んでよい。
【００２３】
従来及び／又はカスタムの他のハードウェアも含まれてよい。同様に、図に示される如何なるスイッチも単に概念的である。それらの機能は、プログラムの動作を通じて、専用のロジックを通じて、プログラム制御及び専用のロジックの相互作用を通じて、又は手動で実行されてよく、特定の技術が、文脈からより具体的に理解されるように、実施者によって選択可能である。
【００２４】
特許請求の範囲において、特定の機能を実行する手段として表される如何なる要素も、例えば、ａ）その機能を実行する回路素子の組み合わせ、又はｂ）如何なる形態であれ、従って、機能を実行するためにそのソフトウェアを実行するための適切な回路と組み合わされたファームウェア、マイクロコード等を含むソフトウェアを含め、その機能を実行するあらゆる方法を包含するよう意図される。特許請求の範囲によって定義される本開示は、様々な列挙される手段によって提供される機能が、特許請求の範囲が要求するように組み合わされ且つまとめられるという事実に属する。従って、そのような機能を提供することができる如何なる手段も本願で示されるものと等価であると考えられる。
【００２５】
本開示は、フィルムスキャナのプロファイリング及び較正のためのシステム及び方法を提供する。図１を参照して、本開示の態様に従って製品フィルムスキャナ（production  film  scanner）を構成する一般的なワークフロー図が与えられている。ステップ１で、参照フィルムスキャナ（reference  film  scanner）のための参照プロファイルが生成される。参照フィルムスキャナは、較正用フィルムストリップからの２つのフレームを走査又は捕捉し、捕捉されたフレームを参照プロファイルとしてセーブする。ステップ２で、製品フィルムスキャナは、校正用フィルムストリップからの同じ２つのフレームを走査して、製品プロファイルを生成する。次いで、色補正係数又は色較正ルックアップテーブル（ＬＵＴ）が、参照プロファイル及び製品プロファイルから生成される。ステップ３で、製品スキャナはこのときフィルムリールを捕捉し、そして、ＬＵＴは、各フレームを較正するよう、それらのフィルムリールの夫々の走査されたフレームに適用される。次いで、較正されたフレームは、更なる処理のために記憶される。
【００２６】
ここで図２を参照して、本開示の実施形態に従う例となるシステムコンポーネントが示されている。走査デバイス１０３は、フィルムプリント、例えば、カメラオリジナルのフィルムネガを、デジタルフォーマット、例えば、Ｃｉｎｅｏｎフォーマット又はＳＭＰＴＥ  ＤＰＸ  ファイルへと走査するために設けられる。走査デバイス１０３は、例えば、フィルム（例えば、映像出力を備えたＳｐｉｒｉｔ  ＨＤ  スキャナ）から映像出力を生成するテレシネ（telecine）又は何らかのデバイスを有してよい。走査デバイス１０３、例えば、参照フィルムスキャナは、複数のグレーパッチを含む第１のフレーム１０４と、複数の色パッチを含む第２のフレーム１０６とを走査する。第１のフレームの例が図３に示され、第２のフレームの例が図４に示されており、それらの詳細については後に記載される。
【００２７】
走査されるフィルムプリント又はフレームは、ＨＤ−ＳＤＩキャプチャカードを介して後処理デバイス１０２、例えば、コンピュータへ入力される。コンピュータは、１又はそれ以上の中央演算処理ユニット（ＣＰＵ）等のハードウェアと、ランダムアクセスメモリ（ＲＡＭ）及び／又は読出専用メモリ（ＲＯＭ）等のメモリ１１０と、キーボード、カーソル制御デバイス（例えば、マウス又はジョイスティック）及び表示デバイス等の入出力（Ｉ／Ｏ）ユーザインターフェース１１２とを有する様々な既知のコンピュータプラットフォームのいずれかで実施される。コンピュータプラットフォームは、また、オペレーティングシステム及びミクロ命令コードを含む。ここで記載される様々な処理及び機能は、オペレーティングシステムを介して実行されるソフトウェアアプリケーションプログラムの一部若しくはミクロ命令コードの一部（又はそれらの組み合わせ）のいずれかであってよい。一実施形態において、ソフトウェアアプリケーションプログラムは、プログラム記憶デバイスで明白に具現され、後処理デバイス１０２等の何らかの適切な機械にアップロードされて該機械によって実行されてよい。加えて、様々な他の周辺デバイスは、パラレルポート、シリアルポート又はユニバーサルシリアルバス（ＵＳＢ）等の様々なインターフェース及びバス構造によってコンピュータプラットフォームへ接続されてよい。他の周辺デバイスは、更なる記憶デバイス１１３及びプリンタを含んでよい。プリンタは、奏されるフィルムのリバイスドバージョンを印刷するために用いられてよい。
【００２８】
ソフトウェアプログラムは、フィルムスキャナのプロファイリング及び較正のためにメモリ１１０に記憶されている較正モジュール１１４を有する。較正モジュール１１４は、フィルム走査デバイスのプロファイルを生成するプロファイリングモジュール１１６を有する。プロファイリングモジュール１１６は、走査デバイス１０３に対して従来の較正を行うよう第１走査フレーム１０４を受け取り、標的照準値（例えば、ＲＧＢ値）を提供するよう第２の走査フレーム１０６を受け取って解析する。
【００２９】
較正モジュール１１４は、２つの異なるスキャナのＲＧＢ値の間で最小二乗適合（least  square  fit）計算を行う最小二乗適合モジュール１１８を更に有する。ルックアップテーブル（ＬＵＴ）発生器１２０は、最小二乗適合計算の結果を目標走査デバイスの標準的な較正と連結することによって、ルックアップテーブル（ＬＵＴ）を生成する。
【００３０】
システム１００は、フィルムのリールを捕捉する第２の走査デバイス１２２、例えば、製品フィルムスキャナを更に有する。色空間コンバータ１２４は、ルックアップテーブル（ＬＵＴ）をフィルムの捕捉されたフレームに適用するよう設けられている。例となる色空間コンバータは、仏国のトムソン・グラスバレーから市販されているＬＵＴｈｅｒ色空間コンバータである。色空間コンバータ１２４は、較正された画像又はフレームを読取デバイス１２６（例えば、テープデッキ）等の局所画像生成パイプラインに出力する。色空間コンバータ１２４は、また、較正された画像又はフレームを、記憶デバイス１１３に記憶するために、処理デバイス１０２に出力してもよい。
【００３１】
図５を参照して、本開示の態様に従って製品フィルムスキャナを較正する方法の例に係るフロー図が示されている。最初に、特定のフィルムストックに対する目標参照スキャナ１０３の応答が定義される。１つの較正フレーム全体と、幾つかの補正用較正フレーム（それらの夫々は、特定のかめらオリジナルフィルムストックを表す。）とを含むフィルムストック（film  stock）が提供される。第１の較正フレーム１０４が提供され（ステップ２０２）、中間フィルムストック（intermediate  film  stock）のフルダイナミックレンジをカバーする複数の色パッチを含み、第２の較正フレーム１０６が提供され（ステップ２０４）、複数の色パッチを含む。較正用ストリップに含まれる２つのフレームが、標準的な較正の下で参照スキャナ１０３によって走査され、如何なる変更もなく記憶される（ステップ２０６）。
【００３２】
図３及び図４を参照して、第１のフレーム１０４は、中間フィルムストック（例えば、コダックの５２４２フィルム）における１／２ストップ・インクリメントを表す２１のグレーパッチから成り、第２のフレーム１０６は、特定のネガフィルムストック（例えば、コダックの５２１９フィルム）において露光される色チャート（例えば、Ｍａｃｂｅｔｃｈ色チェッカー又はＴＡＦフレーム）を示す。当然のことながら、第１のフレーム１０４は２１のグレーパッチを有して示されているが、パッチは、中間フィルムストックのフルダイナミックレンジが表される限り、如何なる色又は数をとってもよい。従来、較正マテリアルは中間ストックにおいて生成され得るが、従来のシステムは、実際のカメラオリジナルストックのためにフィルム製造者により与えられるテスト画像を用いてスタックされる。中間フレームが非常に多くのパッチを有するのはそのためである。高精度の較正が中間ストックに対して実行され、次いで、カメラオリジナルストック較正フレームが、あらゆるメタメリズム（metamerism）のために調整を行うよう使用される。この場合に、メタメリズムとは、２つの異なるスキャナが異なるスペクトル感度を有し、それらが１つの特定のフィルムストックから等しい結果を生じさせるよう較正される場合に、それらが異なるスペクトル透過特性を有して異なるフィルムストックから等しい結果を生じさせることを保証しないという事実をいう。
【００３３】
２１のグレーパッチを含む第１のフレーム１０４の走査は解析されて、スキャナのあらゆる非線形性を補正するために使用される（ステップ２０８）。図３に図示されているように、各パッチ１０５は、グレーパッチを印刷するために使用される１０ビットでのＲＧＢ値を表す数１０７を含む。グレーパッチは既知の濃度を有し、かかる濃度は、スキャナ内の光センサの線形応答を作るために使用される。すなわち、この第１較正ステップは、走査デバイスに、パッチ１０５ごとに上記の数１０７によって示されるコード値を生成させる。この第１較正ステップが実行されると、第２の色パッチフレーム１０６の第２の走査が、参照スキャナと整合するよう他のスキャナを較正する場合に使用されるべき標的照準値（例えば、ＲＧＢ値）を提供するよう、解析される（ステップ２１０）。
【００３４】
今度は第２の走査デバイス１２２、すなわち、製品フィルムスキャナにおいて、上記の手順が繰り返され、同じ２つのフレームが走査される。２１のグレーパッチを含む第１のフレーム１０４が走査され、ステップ２０８に関連して先に記載された較正と同様に、標準的な較正を行うよう解析される（ステップ２１２）。この時点で、製品フィルムスキャナ１２２は、中間フィルムを走査する場合にのみ、参照目標スキャナと整合する。次に、製品のために使用される特定のフィルムストックの色パッチフレーム１０６が走査される（ステップ２１４）。この走査は解析されて、製品フィルムスキャナ１２２のためのＲＧＢ値の組が決定される（ステップ２１６）。最小二乗適合は、目標参照スキャナ１０３からの標的照準値及び製品フィルムスキャナ１２２からの値に対して計算される（ステップ２１８）。この最小二乗適合の結果は、ステップ２１４による第２のスキャナの標準的な較正と連結される（ステップ２２０）。その結果が、製品フィルムスキャナ１２２と参照フィルムスキャナ１０３との間の差を補償するよう計算された補償較正係数又は較正ルックアップテーブル（ＬＵＴ）である。較正ルックアップテーブル（ＬＵＴ）は、受け取ったＲＧＢ値をスキャナの光センサから参照モデルの所望のＲＧＢ色へとマッピングする１次元（１Ｄ）又は３次元（３Ｄ）のＲＧＢ較正ルックアップテーブル（ＬＵＴ）であってよい。
【００３５】
テレシネ転送の場合において、較正ルックアップテーブル（ＬＵＴ）は、色空間コンバータ１２４（例えば、ＬＵＴｈｅｒボックス）にアップロードされる。色空間コンバータ１２４は、製品フィルムスキャナ１２２から受け取った夫々の画像又はフレームに較正ルックアップテーブル（ＬＵＴ）を適用する（ステップ２２２）。色空間コンバータ１２４の出力は、リファレンス、すなわち、参照フィルムスキャナ１０３と整合する較正された画像を生じさせる。色空間コンバータ１２４の出力は、記憶デバイス１１３での記憶のために、読取デバイス１２６又はコンピュータ１０２へ供給されてよい（ステップ２２４）。フィルム単位の走査の場合（画像が記憶デバイスに直接にファイルとしてロードされる場合）において、較正ルックアップテーブル（ＬＵＴ）は、製品フィルムスキャナ自体の最終の出力処理にロードされる。すなわち、色空間コンバータは走査デバイスに組み込まれ、外部の色空間コンバータは必要とされない。いずれの場合にも、画像の後処理のための更なる時間は必要とされない。記載されるワークフローの実施は、走査オペレータに最小限の追加作業しか導入せず、日常的に実行され得る。
【００３６】
本開示の技術を使用すると、特定のフィルムストックは、異なる製品フィルムスキャナで世界的に異なる設備において走査され、それにより同一の結果が得られることが可能となる。また、ビデオベースのテレシネで生成されるデイリーズは、フィルムが最終のデジタル中間色補正のために異なるデバイスで走査される場合に、下流で整合されてよい。
【００３７】
本開示の技術を組み込む実施形態がここで詳細に図示及び記載されてきたが、当業者であれば、これらの技術を依然として組み込んだ多種多様な実施形態を容易に想到可能である。フィルムスキャナのプロファイリング及び較正のためのシステム及び方法に係る好ましい実施形態（例示であって限定ではない。）について記載してきたが、変更及び変形が上記の教示を鑑み当業者によって行われ得ることが知られる。従って、添付の特許請求の範囲によって示されているような本開示の適用範囲内であれば、開示される実施形態は変形されてよい。
【図１】
0005563073.tif 000002
【図２】
0005563073.tif 000003
【図３】
0005563073.tif 000004
【図４】
0005563073.tif 000005
【図５】
0005563073.tif 000006